(57)【要約】【課題】  屋外モードと屋内モードとのモード変更を自動的に行い、さらに、屋外でも移動中であれば移動中に対応するモードへの変更を自動的に行うことができる携帯通信端末装置等を提供すること。【解決手段】  基地局９０からの受信情報を外部に報知する複数の報知モードからなる報知情報を格納する報知情報格納手段１０４と、モード選択情報を格納するモード選択情報格納手段１０６と、選択された特定の報知モードに基づき外部に受信情報を報知する報知手段等、を有する携帯通信端末装置１０であって、位置情報信号は、衛星数情報と、信号強度情報と、を含み、モード選択情報には、前記衛星数情報と前記信号強度情報に基づいて、測位可能性を判断するための測位可能性情報と、位置情報信号と時間情報に基づいて、自己移動速度である端末速度情報を生成するための端末速度情報生成情報と、端末速度情報に関する速度閾値情報が含まれることを特徴とする。【選択図】図３  
2005223611.tif 000002
【特許請求の範囲】
【請求項１】
位置情報衛星からの位置情報信号を取得するための位置情報信号取得手段と、
時間情報を生成する計時手段と、  
通信網を形成する基地局と通信するための通信手段と、
前記基地局からの信号の受信である受信情報を外部に報知する複数の報知モードからなる報知情報を格納する報知情報格納手段と、
前記報知情報から特定の報知モードを選択するためのモード選択情報を格納するモード選択情報格納手段と、
前記モード選択情報に従い選択された前記特定の報知モードに基づき外部に前記受信情報を報知する報知手段と、を有する携帯通信端末装置であって、
前記位置情報信号は、
前記位置情報衛星の数の情報である衛星数情報と、  
前記位置情報信号の信号強度である信号強度情報と、を含み、
前記モード選択情報には、
前記衛星数情報と前記信号強度情報に基づいて、自己位置の測位可能性を判断するための測位可能性情報と、
前記位置情報信号と前記時間情報に基づいて、自己移動速度である端末速度情報を生成するための端末速度情報生成情報と、  
前記端末速度情報に関する速度閾値情報が含まれることを特徴とする携帯通信端末装置。
【請求項２】
前記速度閾値情報は、
高速移動モードに対応する移動速度である第１速度閾値情報と、
前記第１速度閾値情報に対応する速度未満の速度であって、中速移動モードに対応する移動速度である第２速度閾値情報と、を含むことを特徴とする請求項１に記載の携帯通信端末装置。  
【請求項３】
前記速度閾値情報は、
前記第２速度閾値情報に対応する速度未満の移動速度であって、低速移動モードに対応する移動速度である低速移動速度情報を含むことを特徴とする請求項２に記載の携帯通信端末装置。
【請求項４】
携帯通信端末装置の位置情報取得手段が位置情報衛星からの位置情報信号を取得する位置情報信号取得ステップと、
前記携帯通信端末装置の計時手段が時間情報を生成する計時ステップと、  
前記携帯通信端末装置の通信手段が通信網を形成する基地局と通信するための通信ステップと、
前記携帯通信端末装置が、前記基地局からの信号の受信である受信情報を外部に報知する複数の報知モードからなる報知情報から特定の報知モードを選択するモード選択ステップと、
前記携帯通信端末装置の報知手段が、前記モード選択情報に従い選択された前記特定の報知モードに基づき外部に前記受信情報を報知する報知ステップと、を有する携帯通信端末装置の設定変更方法であって、
前記位置情報信号は、
前記位置情報衛星の数の情報である衛星数情報と、  
前記位置情報信号の信号強度である信号強度情報と、を含み、
前記モード選択ステップには、
前記携帯通信端末装置が、前記衛星数情報と前記信号強度情報に基づいて、自己位置の測位可能性を判断する測位可能性判断ステップと、
前記携帯通信端末装置が、前記位置情報信号と前記時間情報に基づいて、自己移動速度である端末速度情報を生成する端末速度情報生成ステップと、  
前記携帯通信端末装置が、前記端末速度情報に関する速度閾値に基づいてモードを選択する速度閾値判断ステップと、が含まれることを特徴とする携帯通信端末装置の設定変更方法。
【請求項５】
前記速度閾値判断ステップは、
前記自己移動速度が、高速移動モードに対応する移動速度である第１速度閾値以上であるかどうかを判断する高速移動判断ステップと、
前記自己移動速度が、前記第１閾値未満の移動速度であって、中速移動モードに対応する速度である第２速度閾値以上であるかどうかを判断する中速移動判断ステップと、を含むことを特徴とする請求項４に記載の携帯通信端末装置の設定変更方法。
【発明の詳細な説明】
【技術分野】
【０００１】
本発明は、携帯通信端末装置のモードを変更するための携帯通信端末装置、携帯通信端末装置の設定変更方法に関するものである。
【背景技術】
【０００２】
従来、携帯電話などの携帯通信端末では、使用者とのインターフェースであるディスプレイパネルの表示状態やスピーカの音量等の設定変更を、使用者が逐一手動で行っていた。その設定には例えば、ディスプレイパネルの表示を屋内に適したコントラストにする等の設定をする屋内モード、ディスプレイパネルの表示を屋外に適したコントラストにする等の設定をする屋外モード、着信をスピーカによって報知する通常モード、着信をスピーカではなくて振動モータで報知する等の設定をするマナーモード、着信をスピーカでも振動モータでも報知せず、着信の記録をしておくにとどめるドライブモード等がある。
【０００３】
ところが、例えば映画館の中など携帯電話の使用が禁止されている場所において、マナーモードへの設定変更を忘れたために、映画の上映中に着信音を鳴らせてしまう場合があるという問題がある。
また、マナーモードから通常モードへ戻す設定変更を忘れたために、着信に気づかない場合があるという問題もある。
【０００４】
さらに、自動車運転中など、集中していないと危険な場合には、例えば携帯電話への着信をスピーカによっても振動モータによっても知らせないドライブモードへの設定変更が必要であるが、その設定変更を忘れて通常モードのままにしたために、着信音が鳴り、使用者（運転者）が携帯電話の着信音に反応したために交通事故を起こす場合があるという問題もある。
【０００５】
これに対して、ＧＰＳ（Ｇｌｏｂａｌ  Ｐｏｓｉｔｉｏｎｉｎｇ  Ｓｙｓｔｅｍ）衛星からの信号が、所定の閾値の受信強度において所定の時間継続したか否かによって、屋外モードと屋内モードのモード切替を自動的に行う移動通信端末装置が提案されている（たとえば、特許文献１、図３等）。
【特許文献１】特開２００３−８７３６１号公報
【発明の開示】
【発明が解決しようとする課題】
【０００６】
しかし、屋外モードと屋内モードとのモード変更を自動的に行うだけでは、携帯電話の使用者が自動車などで移動している場合も屋外モードになり、例えば自動車の運転中など高速での移動中でも、高速移動中に適したモードへの変更が行われないという問題がある場合がある。
【０００７】
そこで、本発明は、屋外モードと屋内モードとのモード変更を自動的に行い、さらに、屋外でも移動中であれば移動中に対応するモードへの変更を自動的に行うことができる携帯通信端末装置及び携帯通信端末装置の設定変更方法を提供することを目的とする。
【課題を解決するための手段】
【０００８】
前記目的は、第１の発明によれば、位置情報衛星からの位置情報信号を取得するための位置情報信号取得手段と、時間情報を生成する計時手段と、通信網を形成する基地局と通信するための通信手段と、前記基地局からの信号の受信である受信情報を外部に報知する複数の報知モードからなる報知情報を格納する報知情報格納手段と、前記報知情報から特定の報知モードを選択するためのモード選択情報を格納するモード選択情報格納手段と、前記モード選択情報に従い選択された前記特定の報知モードに基づき外部に前記受信情報を報知する報知手段と、を有する携帯通信端末装置であって、前記位置情報信号は、前記位置情報衛星の数の情報である衛星数情報と、前記位置情報信号の信号強度である信号強度情報と、を含み、前記モード選択情報には、前記衛星数情報と前記信号強度情報に基づいて、自己位置の測位可能性を判断するための測位可能性情報と、前記位置情報信号と前記時間情報に基づいて、自己移動速度である端末速度情報を生成するための端末速度情報生成情報と、前記端末速度情報に関する速度閾値情報が含まれることを特徴とする携帯通信端末装置によって達成される。
【０００９】
第１の発明の構成によれば、前記位置情報信号取得手段が例えば、前記位置情報衛星の数が０個であるという前記衛星数情報を取得した場合には、前記報知モードは屋内モードに設定するという前記モード選択情報に従って、前記携帯通信端末装置は屋内モードを選択し、その屋内モードに基づいて外部に前記受信情報を報知することができる。
【００１０】
これに対し、前記位置情報信号取得手段が例えば、前記位置情報衛星の数が１個以上であるという前記衛星数情報を取得し、かつ、いずれかの前記位置情報衛星からの上記位置情報信号が前記自己位置の測位が可能な信号強度以上であるという前記信号強度情報を取得した場合には、そのような場合には屋外モードに設定するという前記モード選択情報に従って、前記携帯通信端末装置は屋外モードを選択し、その屋外モードに基づいて外部に前記受信情報を報知することができる。
【００１１】
よって、本発明によれば、前記携帯通信端末装置は屋内モードと屋外モードの切り替えを自動的に行うことができる。
これにより、例えば、前記携帯通信端末装置の使用者が屋内から屋外に移動した場合、自動的に、前記携帯通信端末装置のディスプレイ部分に屋外に適したコントラストで文字等を表示することができる。
【００１２】
ところで、屋内モード以外の報知モードとしては、屋外モードだけではなく例えば、前記携帯通信端末装置の使用者が高速で自動車を運転中に適した高速モードや、低速で自動車を運転中に適した中速モードや、歩行中に適した低速モード等、種々のモードが考えられる。これは、各移動速度にそれぞれ適する報知モードが考えられるからである。
この点、本発明によれば、以下のように各移動速度に適した種類の報知モードへの設定変更を自動的に行うことができる。
【００１３】
すなわち、前記携帯通信端末装置は、前記測位可能性情報に基づいて自己位置を測位することが可能か否かを判断することができる。具体的には例えば、前記位置情報信号に含まれる前記衛星数情報が４以上であって、かつ、すべての前記信号強度情報が自己位置の測位が可能な信号強度以上であれば、自己位置を測位することが可能であると判断する。
【００１４】
そして、前記携帯通信端末装置は、自己位置の測位が可能であれば、前記位置情報信号と前記時間情報に基づいて、自己移動速度である端末速度情報を生成する。
さらに、前記モード選択情報には、前記端末速度情報に関する速度閾値情報が含まれているから、前記携帯通信端末装置は例えば、前記端末速度情報によって、自己移動速度が移動中に適したモードである移動モードに対応する速度以上であれば、そのような場合には移動モードに設定するという前記モード選択情報に従って、移動モードを選択し、その移動モードに基づいて外部に前記受信情報を報知することができる。
【００１５】
よって、本発明によれば、前記携帯通信端末装置は、移動モード対応速度以上で移動している場合には、移動モードへの切り替えを自動的に行うことができるのである。
【００１６】
以上により、第１の発明の構成によれば、屋内モードと屋外モードとのモード変更を自動的に行い、さらに、屋外でも移動中であれば移動中に対応する移動モードへの変更を自動的に行うことができる携帯通信端末装置を提供することができるのである。
【００１７】
第２の発明は、第１の発明の構成において、前記速度閾値情報は、高速移動モードに対応する移動速度である第１速度閾値情報と、前記第１速度閾値情報に対応する速度未満の速度であって、中速移動モードに対応する移動速度である第２速度閾値情報と、を含むことを特徴とする。
【００１８】
第２の発明の構成によれば、前記速度閾値情報は前記第１速度閾値情報と前記第２速度閾値情報とを含む。
このため、前記携帯通信端末装置は前記端末速度情報に基づいて、自己移動速度が前記第１速度閾値情報に対応すると判断した場合には、高速移動モードに設定するという前記モード選択情報に従って、高速移動モードを選択し、その高速移動モードに基づいて外部に前記受信情報を報知する。
また、前記携帯通信端末装置は前記端末速度情報に基づいて、自己移動速度が前記第２速度閾値情報に対応すると判断した場合には、そのような場合には中速移動モードに設定するという前記モード選択情報に従って、中速移動モードを選択し、その中速移動モードに基づいて外部に前記受信情報を報知することができる。
【００１９】
これにより、例えば、時速１００キロメートル（ｋｍ）という高速で自動車を運転中のときには例えば、前記携帯通信端末装置が基地局から着信信号を受信しても、前記携帯通信端末装置のスピーカや振動モータはまったく作動しないという高速移動モードへ設定変更することにより、前記携帯通信端末装置の使用者を自動車の運転に集中させることができる。
また、例えば、時速２０キロメートル（ｋｍ）という中速で自動車を運転中のときには例えば、前記携帯通信端末装置は基地局から着信信号を受信したときに、スピーカや振動モータを最初は小さな出力で作動させ、次第に大きな出力で作動させるという中速移動モードへ設定変更することにより、前記携帯通信端末装置の使用者に着信を知らせることができる。
【００２０】
第３の発明は、第２の発明の構成において、前記速度閾値情報は、前記第２速度閾値情報に対応する速度未満の移動速度であって、低速移動モードに対応する移動速度である低速移動速度情報を含むことを特徴とする。
【００２１】
第３の発明の構成によれば、前記速度閾値情報は前記低速移動速度情報を含む。
このため、前記携帯通信端末装置は、前記端末速度情報に基づいて、自己移動速度が前記低速移動速度情報に対応すると判断した場合には、そのような場合には低速移動モードに設定するという前記モード選択情報に従って、低速移動モードを選択し、その低速移動モードに基づいて外部に前記受信情報を報知することができる。
【００２２】
これにより、例えば、時速５キロメートル（ｋｍ）という低速で歩行中のときには、前記携帯通信端末装置が基地局から着信信号を受信した場合、前記携帯通信端末装置はスピーカや振動モータを作動させ、前記携帯通信端末装置の使用者に受信情報を報知することができる。
【００２３】
前記目的は、第４の発明によれば、携帯通信端末装置の位置情報取得手段が位置情報衛星からの位置情報信号を取得する位置情報信号取得ステップと、前記携帯通信端末装置の計時手段が時間情報を生成する計時ステップと、前記携帯通信端末装置の通信手段が通信網を形成する基地局と通信するための通信ステップと、前記携帯通信端末装置が、前記基地局からの信号の受信である受信情報を外部に報知する複数の報知モードからなる報知情報から特定の報知モードを選択するモード選択ステップと、前記携帯通信端末装置の報知手段が、前記モード選択情報に従い選択された前記特定の報知モードに基づき外部に前記受信情報を報知する報知ステップと、を有する携帯通信端末装置の設定変更方法であって、前記位置情報信号は、前記位置情報衛星の数の情報である衛星数情報と、前記位置情報信号の信号強度である信号強度情報と、を含み、前記モード選択ステップには、前記携帯通信端末装置が、前記衛星数情報と前記信号強度情報に基づいて、自己位置の測位可能性を判断する測位可能性判断ステップと、前記携帯通信端末装置が、前記位置情報信号と前記時間情報に基づいて、自己移動速度である端末速度情報を生成する端末速度情報生成ステップと、前記携帯通信端末装置が、前記端末速度情報に関する速度閾値に基づいてモードを選択する速度閾値判断ステップと、が含まれることを特徴とする携帯通信端末装置の設定変更方法によって達成される。  
【００２４】
第５の発明は、第４の発明の構成において、前記速度閾値判断ステップは、前記自己移動速度が、高速移動モードに対応する移動速度である第１速度閾値以上であるかどうかを判断する高速移動判断ステップと、前記自己移動速度が、前記第１閾値未満の移動速度であって、中速移動モードに対応する速度である第２速度閾値以上であるかどうかを判断する中速移動判断ステップと、を含むことを特徴とする。
【発明を実施するための最良の形態】
【００２５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
（第１の実施の形態）
図１は、本発明の実施の形態である携帯通信端末装置の一例である携帯電話機１０の使用状況を示す概略図である。
図１に示すように、使用者Ａに保持された携帯電話機１０は、位置情報衛星である例えば、ＧＰＳ（Ｇｌｏｂａｌ  Ｐｏｓｉｔｉｏｎｉｎｇ  Ｓｙｓｔｅｍ）衛星１２ａ乃至１２dから位置情報信号Ｓを受信するようになっている。位置情報信号Ｓは、ＧＰＳ衛星１２ａから送信される位置情報信号Ｓ１、ＧＰＳ衛星１２ｂから送信される位置情報信号Ｓ２、ＧＰＳ衛星１２ｃから送信される位置情報信号Ｓ３、ＧＰＳ衛星１２ｄから送信される位置情報信号Ｓ４のすべて又は一部から成る。
なお、ＧＰＳ衛星の数は、４以上でもよい。
【００２７】
また、携帯電話機１０は、通信網を形成する基地局９０と通信できるように構成されている。
なお、本実施の形態とは異なり、携帯通信端末装置は、携帯電話機１０に限らず、ＰＨＳ、ＰＤＡ等であってもよい。
【００２８】
（携帯電話機１０の主なハード構成について）
図２は携帯電話機１０の主なハードウエア構成を示す概略図である。
図２に示すように、携帯電話機１０は、コンピュータを有しており、コンピュータは、バス２２を有し、バス２２には、携帯電話機１０の各部を制御する制御部である例えば、ＣＰＵ（Ｃｅｎｔｒａｌ  Ｐｒｏｃｅｓｓｉｎｇ  Ｕｎｉｔ）２４、ＲＡＭ（Ｒａｎｄｏｍ  Ａｃｃｅｓｓ  Ｍｅｍｏｒｙ）２６、ＲＯＭ（Ｒｅａｄ  Ｏｎｌｙ  Ｍｅｍｏｒｙ）２８等が接続されている。
【００２９】
また、このバス２２には、ＧＰＳ衛星１２ａ乃至１２dからの位置情報信号Ｓ１乃至Ｓ４を取得するための位置情報取得手段である例えば、ＧＰＳ装置３０が接続されており、携帯電話機１０の位置を測位できるように構成されている。
【００３０】
位置情報信号Ｓは、前記位置情報衛星の数の情報である衛星数情報と、前記位置情報信号の信号強度である信号強度情報とを含む。例えば、携帯電話機１０が、位置情報信号Ｓ１乃至Ｓ４のうち例えば、Ｓ１だけを取得した場合には、衛星数情報は１ということになり、位置情報信号Ｓを全く取得しない場合には、衛星数情報は０ということになる。
【００３１】
さらに、このバス２２には、時間情報を生成する計時手段である時間計測装置３２や、ＧＰＳ装置３０や時間計測装置３２によって取得した情報を記録するための記録装置３４が接続されている。
【００３２】
また、このバス２２には、通信網を形成する基地局９０と電波の送受信を行い、通信するための通信手段である例えば、通信装置３６が接続されている。
さらに、このバス２２には、各種情報を表示するための表示装置３８、基地局９０からの受信を音声で報知等するスピーカ４０、基地局９０からの受信を振動によって報知する振動モータ４２、使用者Ａが携帯電話機１０の操作をするための操作部４４が接続されている。表示装置３８、スピーカ４０及び振動モータ４２は、後述するモード選択情報に従い選択された前記特定の報知モードに基づき外部に前記受信情報を報知する報知手段の一例である。
【００３３】
（携帯電話機１０の主なソフト構成について）
図３は、携帯電話機１０の主なソフトウエア構成を示す概略図である。
図３に示すように、携帯電話機１０は、各部の制御を行う制御部１００、図２のＧＰＳ装置３０によって自己位置の測位を行う測位部１０２、図２の表示装置３８に各種情報を表示させる表示部１０３を有する。
【００３４】
また、携帯電話機１０は、図１の基地局９０からの信号の受信である受信情報を外部に報知する複数の報知モードからなる報知情報を格納する報知情報格納手段である例えば、報知情報格納用データベース１０４を有する。
図５は、報知情報格納用データベース１０４に格納される報知情報１０５の一例を示す概略図である。報知情報１０５は例えば、屋内モード（マナーモード）１０５ａ、屋外モード（通常モード）１０５ｂ、ドライブモード１０５ｃ、サイレントモード１０５ｄという複数の報知モードからなる。そして、上記報知モード１０５ａ乃至１０５ｄは、図２の表示装置３８、スピーカ４０及び振動モータ４２の制御方法の情報を含む。
【００３５】
また、携帯電話機１０は、図３に示すように前記報知情報から特定の報知モードを選択するためのモード選択情報を格納するモード選択情報格納手段である例えば、モード選択情報格納用データベース１０６を有する。
図６は、モード選択情報格納用データベース１０６に格納されるモード選択情報１０７の一例を示す概略図である。モード選択情報１０７は例えば、衛星数情報が０である場合には屋内モードに設定するというモード選択情報１０７ａを有する。このように、図５の報知モード１０５ａ乃至１０５ｄに対応するモード選択情報１０７ａ乃至１０７ｄを有している。
【００３６】
上記の構成により、図３の測位部１０２が、位置情報衛星の数が０個であるという衛星数情報を取得した場合には、そのような場合には報知モードは屋内モード１０５ａに設定するという図６に示すモード選択情報１０７ａに従って、携帯電話機１０は屋内モード１０５ａを選択し、その屋内モード１０５ａに基づいて外部に受信情報を報知することができる。
【００３７】
具体的には図５に示すように、屋内モード１０５ａは図２の表示装置３８に受信情報を表示し、振動モータ４２は作動させるが、スピーカ４０は停止させるという報知情報であるから、そのような制御方法によって図１の使用者Ａに受信情報を報知する。
【００３８】
これに対し、図３の測位部１０２が、位置情報衛星の数が１個以上であるという衛星数情報を取得し、かつ、いずれかの位置情報衛星からの位置情報信号が自己位置の測位が可能な信号強度である例えば１０デシベル（ｄＢ）以上であるという信号強度情報を取得した場合には、そのような場合には図５の屋外モード１０５ｂに設定するという図６のモード選択情報１０７ｂに従って、携帯電話機１０は屋外モード１０５ｂを選択し、その屋外モードに基づいて外部に前記受信情報を報知することができる。
具体的には図５に示すように、屋外モード１０５ｂは図２の表示装置３８に受信情報を表示し、スピーカ４０は作動させるが、振動モータ４２は停止させるという報知情報であるから、そのような制御方法によって図１の使用者Ａに受信情報を報知する。
【００３９】
よって、本発明によれば、前記携帯通信端末装置は屋内モードと屋外モードの切り替えを自動的に行うことができる。
また、図３の表示部１０３により例えば、携帯電話機１０の使用者Ａが屋内から屋外に移動した場合、自動的に、携帯電話機１０の図２の表示装置３８に屋外に適したコントラストで文字等を表示する等の設定を行うこともできる。
【００４０】
ところで、報知モードとしては、図５の屋内モード１０５ａ、屋外モード１０５ｂだけではなく例えば、携帯電話機１０の使用者Ａが中速で自動車を運転中に適した中速モードである例えば図５に示すドライブモード１０５ｃや、高速で自動車を運転中に適した高速モードである例えば図５に示すサイレントモード１０５ｄや、歩行中に適した図示しない低速モード等、種々のモードが考えられる。これは、各移動速度にそれぞれ適する報知モードが考えられるからである。
この点、本実施の形態によれば、以下のように各移動速度に適した種類の報知モードへの設定変更を自動的に行うことができる。
【００４１】
すなわち、前記モード選択情報１０７には、前記衛星数情報と前記信号強度情報に基づいて、自己位置の測位可能性を判断するための測位可能性情報１０６ａ、前記位置情報信号と前記時間情報に基づいて、自己移動速度である端末速度情報を生成するための端末速度情報生成情報１０６ｂと、前記端末速度情報に関する速度閾値情報１０６ｃが含まれる。
【００４２】
よって、携帯電話機１０は、測位可能性情報１０６ａに基づいて自己位置を測位することが可能か否かを判断することができる。具体的には例えば、位置情報信号Ｓに含まれる衛星数情報が４以上であって、かつ、すべての信号強度情報が自己位置の測位が可能な信号強度である例えば１０デシベル（ｄＢ）以上である状態が１秒以上継続すれば、自己位置を測位することが可能であると判断する。
【００４３】
そして、携帯電話機１０は、自己位置の測位が可能であれば、位置情報信号Ｓと図２の時間計測装置３２によって取得した時間情報に基づいて、自己移動速度である端末速度情報を生成する。
さらに、モード選択情報１０７には、端末速度情報に関する速度閾値情報１０６ｃが含まれているから、携帯電話機１０は例えば、端末速度情報によって、自己移動速度が移動中に適したモードである移動モードに対応する速度以上であれば、そのような場合には移動モードに設定するというモード選択情報１０７ｃに従って、移動モード１０５ｃを選択し、その移動モード１０５ｃに基づいて外部に前記受信情報を報知することができる。
移動モードに対応する速度は例えば、３分間の平均速度が毎時１０キロメートル（１０ｋｍ／ｈ）以上である。
【００４４】
ところで、携帯電話機１０はいろいろな速度で移動する場合があり、上述したようにその速度に応じて適切な報知モードである例えば高速移動モード、中速移動モード、低速移動モード等が考えられる。
【００４５】
この点、図６に示すように、本実施の形態における速度閾値情報１０６ｃは、高速移動モードに対応する移動速度である第１速度閾値情報（高速移動速度情報）１０６ｃ１と、第１速度閾値情報に対応する速度未満の速度であって、中速移動モードに対応する移動速度である第２速度閾値情報（中速移動速度情報）１０６ｃ２を含む。
第１速度閾値情報は例えば、８０ｋｍ／ｈ以上であり、携帯電話機１０はこの速度の場合は図５に示す高速移動モードの一例であるサイレントモード１０５ｄに設定する。また、第２速度閾値情報は例えば１０ｋｍ／ｈ以上８０ｋｍ／ｈ未満であり、携帯電話機１０はこの速度の場合は図５に示す中速移動モードの一例であるドライブモード１０５ｃに設定する。
なお、本実施の形態では、ドライブモード１０５ｃは移動モードと同じ設定である。
【００４６】
図５に示すようにサイレントモード１０５ｄにおいては例えば、受信情報の外部への報知をせずに、図２の記録装置３４に受信情報を記録しておく。これにより、例えば、高速で自動車を運転中には安全のために注意を集中している必要あるが、携帯電話機１０を作動させないことによって、使用者Ａを運転に集中させることができる。使用者Ａは運転の中断時等に、携帯電話機１０を操作して記録装置３４に記録されている受信情報を検索することで、受信情報を知ることができる。
【００４７】
また、図５に示すようにドライブモード１０５ｃにおいては例えば、受信情報の外部への報知を図２の表示装置３８への表示と、スピーカ４０によって行う。このとき、スピーカ４０の音量を初めは小さくしておき、しだいに通常の音量レベルに引き上げる設定をしておくことにより、携帯電話機１０の使用者Ａが自動車を運転している場合においても運転へ集中させつつ、受信情報を報知することができる。
【００４８】
なお、本実施の形態とは異なり、スピーカ４０を停止させて振動モータ４２の振動をはじめは小さくしておき、次第に大きくしておく設定をしてもよいし、スピーカ４０と振動モータ４２の両方を初めは小さい出力で、次第に大きい出力となるような設定にしておいてもよい。
【００４９】
また、本実施の形態においては、図６に示すように、速度閾値情報１０６ｃは低速移動速度情報１０６ｃ３を含む。
このため、携帯電話機１０は、端末速度情報に基づいて、自己移動速度が低速移動速度情報１０６ｃ３に対応する例えば１０ｋｍ／ｈ未満であると判断した場合には、そのような場合には図５の低速移動モード１０５ｂに設定するという図６のモード選択情報１０７ｂに従って、低速移動モード１０５ｂを選択し、その低速移動モード１０５ｂに基づいて外部に前記受信情報を報知することができる。
なお、本実施の形態においては、低速移動モード１０５ｂは、屋外モードと同じ設定である。
【００５０】
これにより、例えば、毎時５キロメートル（ｋｍ／ｈ）という低速で歩行中のときには、携帯電話機１０が基地局９０から着信信号を受信した場合、携帯電話機１０は図２のスピーカ４０や振動モータ４２を作動させ、携帯電話機１０の使用者Ａに受信情報を報知することができる。
【００５１】
（本実施の形態の携帯電話機１０の動作例等について）
以上のように、携帯電話機１０は構成されるが、以下その動作例を説明する。
図４は携帯電話機１０の動作例を示す概略フローチャートである。
【００５２】
ステップＳＴ０から携帯電話機１０の動作がスタートする。
ステップＳＴ１は、ＧＰＳ装置３０が図１のＧＰＳ衛星１２ａ乃至１２ｄからの位置情報信号Ｓを取得する位置情報信号取得ステップの一例である。ステップＳＴ１においては、図３の制御部１００が、位置情報信号Ｓを取得したか否かの確認も行う。
【００５３】
ステップＳＴ２は、図３の測位部１０２が衛星数情報を取得する衛星数情報取得ステップである。  
ステップＳＴ３は、図３の測位部１０２が信号強度情報を取得する信号強度情報取得ステップである。
【００５４】
ステップＳＴ４は、携帯電話機１０が、衛星数情報と信号強度情報に基づいて、自己位置の測位可能性を判断する測位可能性判断ステップの一例である。
具体的には、図３のモード選択情報格納用データベース１０６に格納されている測位可能性情報１０６ａに基づいて、制御部１００が測位可能性を判断する。
すなわち、制御部１００は、測位部１０２が４個以上のＧＰＳ衛星から位置情報信号Ｓを取得しているという衛星数情報を有しており、かつ、４個以上のＧＰＳ衛星からの信号強度が測位可能な例えば１０デシベル（ｄＢ）以上である状態が１秒以上継続した場合には、自己位置の測位が可能であると判断する。
【００５５】
ステップＳＴ５は、測位開始ステップであり、ステップＳＴ４において測位が可能であると判断された場合には、携帯電話機１０の自己位置の測位を開始し、自己位置情報を取得する。測位部１０２は、ステップＳＴ１から継続的にＧＰＳ衛星１２ａ乃至１２ｄから位置情報信号Ｓを取得しつづけており、ステップＳＴ５はステップＳＴ１と同様に、位置情報取得ステップを構成するものである。
本実施の形態においては、ステップＳＴ５において、時間情報も生成する。すなわち、ステップＳＴ５は、図２の時間計測装置３２が時間情報を生成する計時ステップの一例でもある。
【００５６】
ステップＳＴ６は、携帯電話機１０が、ステップＳＴ５で取得した位置情報信号に基づく自己位置情報と時間情報に基づいて、自己移動速度である端末速度情報を生成する端末速度情報生成ステップの一例である。
具体的には、図３のモード選択情報格納用データベース１０６に格納されている端末速度情報生成情報１０６ｂに基づいて、制御部１００が自己移動速度である端末速度情報を生成する。
すなわち、自己位置情報と時間情報とから、時間経過に対応する自己位置が計算できるから、自己移動速度を計算することができるのである。
【００５７】
ステップＳＴ７は、携帯電話機１０が、端末速度情報に関する速度閾値情報に基づいてモードを選択する速度閾値判断ステップの一例である。
具体的には、制御部１００が、図３のモード選択情報格納用データベース１０６に格納されている速度閾値情報１０６ｃに基づいて、制御部１００が報知情報格納用データベース１０４に格納されている報知モードを選択する。
【００５８】
ステップＳＴ７は、より詳細には、自己移動速度が、高速移動モードに対応する移動速度である第１速度閾値以上であるかどうかを判断する高速移動判断ステップである。
すなわち、制御部１００は、自己移移動速度が、図３のモード選択情報格納用データベース１０６に格納されている例えば３分間の平均が８０ｋｍ／ｈ以上である高速移動速度情報１０６ｃ１（第１速度閾値情報）と対比して、高速移動モードに対応する移動速度以上であるか否かを判断する。
【００５９】
ステップＳＴ８は、携帯電話機１０が、図１の基地局９０からの信号の受信である受信情報を外部に報知する複数の報知モードからなる報知情報から特定の報知モードを選択するモード選択ステップの一例である。
具体的には、自己移動速度が第１速度閾値以上である場合には、制御部１００が、モード選択情報格納用データベースに格納されているモード選択情報１０７のうち、高速移動モードの一例であるサイレントモードに対応するモード選択情報１０７ｄに基づいて、報知情報格納用データベース１０４に格納されている報知情報１０５のうち、サイレントモード１０５ｄを選択する（ステップＳＴ８）。
【００６０】
この状態で、携帯電話機１０は図１の基地局９０からの信号を待つ（ステップＳＴ９）。ステップＳＴ９は、基地局９０からの信号の受信が、携帯電話機１０の通信手段の一例である通信装置３６が通信網を形成する基地局９０と通信するための通信ステップの一例である。
【００６１】
ステップＳＴ１０は、基地局９０からの信号を受信した後に、携帯電話機１０の報知手段である図２の表示部３８、スピーカ４０、振動モータ４２のすべて又は一部が、前記モード選択情報に従い選択された前記特定の報知モードに基づき外部に前記受信情報を報知する報知ステップの一例である。ただし、いずれの報知手段も用いない場合もある。
【００６２】
具体的には、ステップＳＴ８において、サイレントモードに設定してあるから、携帯電話機１０は基地局９０からの信号を受信した場合には、図５のサイレントモード１０５ｄに基づいて、受信を外部に報知する。サイレントモードにおいては、表示装置３８、スピーカ４０、振動モータ４２のいずれも作動せず、受信は記録装置３４に記録される。使用者Ａは例えば、自動車の高速での運転が中断したときに、記録装置３４の記録を参照して受信を知ることができる。
ステップＳＴ１０の終了後は、ステップＳＴ１に戻る。すなわち、ステップＳＴ１乃至ステップＳＴ１０は、携帯電話機１０の電源が入っている限り、継続的に繰り返して実行される。
【００６３】
ステップＳＴ７において、制御部１００が、自己移動速度が第１速度閾値情報未満であると判断した場合には、ステップＳＴ８１において、自己移動速度が第２速度閾値情報以上であるかどうかを判断する。
すなわち、ステップＳＴ８１は、自己移動速度が、第１速度閾値未満の移動速度であって、中速移動モードに対応する速度である第２速度閾値以上であるかどうかを判断する中速移動判断ステップの一例である。
【００６４】
すなわち、制御部１００は、自己移動速度が、図３のモード選択情報格納用データベース１０６に格納されている例えば３分間の平均が１０ｋｍ／ｈ以上である中速移動速度情報（第２速度閾値情報）１０６ｃ２の範囲であるか否かを判断する。
【００６５】
ステップＳＴ８２は、モード選択ステップの一例である。
具体的には、自己移動速度が第２速度閾値以上である場合には、制御部１００が、モード選択情報格納用データベースに格納されているモード選択情報１０７のうち、中速移動モードの一例であるドライブモードに対応するモード選択情報１０７ｃに基づいて、報知情報格納用データベース１０４に格納されている報知情報１０５のうち、ドライブモード１０５ｃを選択する（ステップＳＴ８２）。
【００６６】
この状態で、携帯電話機１０は図１の基地局９０からの信号を待ち（ステップＳＴ８３）、基地局９０から受信した場合には、図５のドライブモード１０５ｃに基づいて、受信を外部に報知する（ステップＳＴ８４）。
ステップＳＴ８４の終了後は、ステップＳＴ１に戻る。すなわち、ステップＳＴ１乃至ステップＳＴ８４は、携帯電話機１０の電源が入っている限り、継続的に繰り返して実行される。
【００６７】
ステップＳＴ４において、制御部１００が、自己位置の測位が不可能であると判断した場合には、ステップＳＴ４１において、１個以上のＧＰＳ衛星の信号強度が閾値である例えば、１０デシベル（ｄＢ）以上である状態が６０秒以上継続しているか否かを判断する。  
【００６８】
４個以上のＧＰＳ衛星から位置情報信号を取得しなければ、自己位置の測位はできないが、１個以上のＧＰＳ衛星から位置情報信号を取得できれば、少なくとも、携帯電話機１０が屋外にあるということはわかる。これにより、屋外に適したモードである屋外モードへ設定できる（ステップＳＴ４２）。なお、本実施の形態においては、屋外モードは通常モードと同じ設定にしている。
この状態で、基地局９０からの信号を待ち（ステップＳＴ４３）、受信した場合には図５の屋外モード１０５ｂに基づいて外部に報知する（ステップＳＴ４４）。
ステップＳＴ４４の終了後は、ステップＳＴ１に戻る。すなわち、ステップＳＴ１乃至ステップＳＴ４４は、携帯電話機１０の電源が入っている限り、継続的に繰り返して実行される。
【００６９】
一方、ステップＳＴ４１において、いずれのＧＰＳ衛星からも位置情報信号を取得できない場合には、携帯電話機１０が屋内にあるということになる。これにより、屋内に適したモードである図５の屋内モード１０５ａ（マナーモード）へ設定できる（ステップＳＴ４６）。
この状態で、基地局９０からの信号を待ち（ステップＳＴ４７）、受信した場合には図５の屋外モード１０５ｂに基づいて外部に報知する（ステップＳＴ４８）。
ステップＳＴ４８の終了後は、ステップＳＴ１に戻る。すなわち、ステップＳＴ１乃至ステップＳＴ４８は、携帯電話機１０の電源が入っている限り、継続的に繰り返して実行される。
屋内モードの一例であるマナーモードにおいては、着信を表示装置３８及び振動モータ４２によって外部に報知する。これにより、屋内において会話中であっても、スピーカの音声によって妨害されることがない。
【００７０】
以上の携帯通信端末装置の設定方法により、屋外モードと屋内モードとのモード変更を自動的に行い、さらに、屋外でも移動中であれば移動中に対応するモードへの変更を自動的に行うことができる
【図面の簡単な説明】
【００７１】
【図１】本発明の実施の形態である携帯電話機の使用状態を示す概略図である。
【図２】携帯電話機の主なハードウエア構成を示す概略図である。
【図３】携帯電話機の主なソフトウエア構成を示す概略図である。
【図４】携帯電話機の設定方法を示す概略フローチャートである。
【図５】報知情報の一例を示す概略図である。
【図６】モード選択情報の一例を示す概略図である。
【符号の説明】
【００７２】
１０・・・携帯電話機、１２ａ乃至１２ｄ・・・ＧＰＳ衛星、３０・・・ＧＰＳ装置、３２・・・時間計測装置、３４・・・記録装置、３６・・・通信装置、３８・・・表示装置、４０・・・スピーカ、４２・・・振動モータ、９０・・・基地局、１００・・制御部、１０２・・・測位部、１０３・・・表示部、１０４・・・報知情報格納用データベース、１０６・・・モード選択情報格納用データベース
【図１】
2005223611.tif 000003
【図２】
2005223611.tif 000004
【図３】
2005223611.tif 000005
【図４】
2005223611.tif 000006
【図５】
2005223611.tif 000007
【図６】
2005223611.tif 000008